(57)【要約】【課題】和紙に対する微生物の付着増殖を防ぎ保存性を高めることによりかびない壁紙などにも利用可能とし、さらにこの和紙を糸状に加工し防菌性を持った織物にすることで新しい用途を開発しようとするものである。【解決手段】和紙または和紙を０．５〜５ｍｍ幅に切断し糸化した後織物としたものに超微粒子強磁性体フェライトを担持させることにより、和紙またはわしを原料とした布地に微生物が付着しても、電磁界の作用により微生物に電流が流れ、微生物の生育を抑制し増殖を阻止する。【選択図】図２
2007303051.tif 000002
【特許請求の範囲】
【請求項１】
粒度が５ｎｍ〜３０ｎｍの超微粒子で、磁化の大きな超微粒子強磁性体フェライトを和紙を抄く工程の貯槽に適量入れて攪拌し、懸濁状態にして和紙を抄くことにより、微生物の発生を防止可能であることを特徴とする超微粒子強磁性体フェライトを担持した微生物防除用の和紙
【請求項２】
請求項１において超微粒子強磁性体フェライトを担持した和紙に微生物が付着し、微生物が動くと和紙に担持した上記フェライト粒子から発生する磁力線を切り、ファラデーの電磁誘導の法則から電圧が誘起され、電流が微生物に流れ微生物の成育を抑制し、増殖を防止することを特徴とする超微粒子強磁性体フェライトを担持した微生物防除用和紙
【請求項３】
請求項１または２において、超微粒子強磁性体フェライトを担持した和紙を幅０．５ｍｍ〜５ｍｍに切断し、これを紙縒りにして糸状にし、この糸状の和紙を用いて織物にし、この織物を用いて衣類を作製し、微生物の発生を防除することを特徴とする超微粒子強磁性体フェライトを担持した微生物防除用和紙の布地
【請求項４】
請求項１，２，３において超微粒子強磁性体フェライトの担持を和紙、またはその糸、布地の段階で行うことを特徴とする微生物防除用和紙および布地
【発明の詳細な説明】
【技術分野】
【０００１】本発明は超微粒子強磁性体フェライトを担持した微生物防除用の和紙および微生物防除用の和紙布地に関する。
【背景技術】
【０００２】  周知の通り  一般家庭、病院、美術館の壁紙のほか、人形、美術品、和服の包装等長時間保存使用される和紙の場合、付着するカビ菌等の微生物による変色や孔等による被害が繰返されている。これに対し微生物を防止するために、虫干し、紫外線などの対応のほか、スプレー状の薬品や抗菌剤等が盛んに提案、使用されているが。環境、皮膚への影響や永続性などに問題がある。
【発明が解決しようとする課題】
【０００３】和紙に微生物の栄養素を含むホコリや汚れが付着し、さらに適度な湿度が加わることで微生物の増殖が起こり易くなる。このようなホコリや汚れを完全に抑制することはむずかしいので、和紙に付着する微生物を防除することは通常困難である。
【０００４】  このように和紙に付着する微生物を防除することはむずかしいので、スプレー式の殺虫剤などが用いられているがスプレー式殺虫剤等により和紙にシミなどが発生する恐れがあることも事実である。
【０００５】そこで本発明の目的は、無公害な超微粒子強磁比体フェライトを用い発防止し、微生物が発生しない和紙により、快適な一般家庭、病院、美術館などの壁紙や人形、和服、美術品の包装及び上記和紙を細く切断し、糸状にして織った布地を実現することにある。
【課題を解決するための手段】
【０００６】上記の目的を達成するために本発明は、微生物の増殖防除剤として、無害で副作用の無い超微粒子強磁性体フェライトを採用した。上記フェライトは粒度が５ｍｍ〜３０ｍｍの超微粒で、しかも各々が磁化の大きいＮとＳの永久磁石で、これを和紙を抄く工程の貯槽に適量入れて和紙を抄くと、上記フェライトを担持した和紙となり、和紙に強力な磁場を形成し、この磁場から磁力線が発生する。
この磁力線を発生する和紙に微生物が付着し、微生物が動くと、磁力線を切るので、ファラデーの電磁誘導の法則から電圧が発生し、微生物に電流が流れ、微生物の動きを阻止し、微生物の害を防除することになる。
【０００７】超微粒子強磁性体フェライトは、化学的に安定で使用しても、周囲への汚染の原因とならないので、公害や環境への問題は生じない。
【発明を実施するための最良の形態】
【０００８】初めに、超微粒子強磁性体フェライトの磁化の強さについて説明する。
図１はカルシューム亜鉛フェライトの磁化測定図を示す。磁化の強さは２６ｅｍｕ／ｇ  となっている。
ガウスに換算すると約１７００ガウスとなる。このＣａ−Ｚｎフェライトを適量担持した和紙には、強力な磁場を発生する。【０００９】このように強力な磁場を形成する和紙から磁力線を発生する。この和紙にカビ菌等の微生物が付着して動くと、磁力線を切るので、ファラデーの電磁誘導の法則から電圧が発生し、微生物に電流が流れて、微生物の動きを抑制し生育を阻止するので、微生物による害を減少させる。【００１０】上記超微粒子強磁性体フェライトを担持した和紙から強力な磁場を形成し、磁力線を発生し、微生物が近づいて磁力線を切り、ファラデーの電磁誘導の法則から微生物に電流が流れる様子を示したのが図２である。上記電流が微生物に流れると、微生物の生育を抑制し、増殖を阻止し、和紙に対するシミ、変色、虫食い状態のような孔等の害を防除することができる。【００１１】上記強力な磁場を発生させるＣａ−Ｚｎフェライトを担持した和紙の実施例を図３に示す。図３でＡはＣａ−Ｚｎフェライトを担持していない通常の和紙、図３でＢはＣａ−Ｚｎフェライトを担持した微生物防除用の和紙を示す。この和紙のＣａ−Ｚｎフェライト担持量はｍ２当たり１０ｇである。【００１２】上記図３Ａと図３Ｂの超微粒子強磁性体フェライトの担持している様子を走査型電子顕微鏡を用いて写したのが、図４Ａと図４Ｂである。図４Ａは上記Ｃａ−Ｚｎフェライトが和紙に担持されていないので倍率は５０倍である。写真には和紙の繊維が写っている。図４Ｂは倍率を１０００倍にしたもので、Ｃａ−Ｚｎフェライトが黒い球状に写っている。この黒い球状体のほかは図４Ａと同じように繊維となっている。この黒い球状のものが繊維の上に担持されているのがわかる。【００１３】上記図４Ｂのように球状のＣａ−Ｚｎフェライトからは磁力線が発生しているので、微生物が付着して磁力線を切ると、ファラデーの電磁誘導の法則から、微生物に電流が流れて、微生物の動きを抑制し、生育を阻止し、微生物を防除する。【００１４】  上記Ｃａ−Ｚｎフェライトを担持しない和紙の試験片とＣａ−Ｚｎフェライトを担持したＣａ−Ｚｎフェライトの試験片の各々を平板培地の中央に貼り付け、試験片の上にカビ菌胞子の懸濁液１ｍｌを均等に撒きかけ２８±２℃で２週間培養してカビ菌に対する影響を測定したのが、図５Ａと図５Ｂである。図６ＡはＣａ−Ｚｎフェライトが担持していない和紙、図５ＢはＣａ−Ｚｎフェライトが担持している和紙【００１５】  上記図５Ａと図５Ｂで黒色の半球状体がカビ菌を示す。図５Ａと図５Ｂと比較すると、図５Ａの方が黒色の半球状体の数が多くなっているので、超微粒子強磁性体フェライトの担持した和紙の方が電磁界の作用によりカビ菌の生育を阻止し、カビ菌を防除していることがわかる。【００１６】上記図５Ｂのように超微粒子強磁性体フェライトを担持した微生物防除用和紙を一般家庭、病院、美術館の壁紙、人形、和服、美術品の包装に用いると、微生物の害を防除できる和紙として使用できる。【００１７】上記の超微粒子強磁性体フェライトのＣａ−Ｚｎフェライトを担持した和紙を幅０，５ｍｍ〜５ｍｍに切断し、糸状にし、これを用いて織物にしたのが図６である。この織物を用いた衣類、敷布、サポータ、靴下等に使用すると、微生物の害のない快適な環境の下で使用が可能となる。【００１８】  上記微生物にはカビ菌、大腸菌、水カビ菌、水虫菌、黄色ブドウ球菌、レジオネラを含むものとする。【００１９】  和紙の作製方法として手抄き、機械抄きを含むものとする。【００２０】  和紙の原料として、コウゾ、三椏、麻のほか必要に応じ木材パルプ、レーヨン、竹、バガス、ケナフ等の非木材繊維、その他の草木、笹などを含むものとする。【００２１】  和紙の作製に当たっては通常用いられる粘剤、サイズ剤、紙力増強剤、染料等の副資材を超微粒子強磁性体フェライトの分散を妨げない範囲で使用できる。【００２２】  担持には内添のほか散布、塗布、含浸、印刷、織物に併用する熱可塑繊維への練込みなどを含む。
【発明の効果】
【００２３】  本発明によれば、超微粒子強磁性体フェライトを担持した和紙を、一般家庭、病院、美術館などの壁紙及び人形、和服、美術品の包装等に用いて、和紙に微生物が付着しても、電磁界の作用により、微生物に電流が流れるので、微生物の生育を抑制し、増殖を阻止するので、微生物による和紙のシミ、虫食い状の孔等が防除できるので、快適な生活環境を創出できる。
【００２４】上記微生物を防除できる和紙を幅０，５ｍｍ〜５ｍｍに切断し、糸状にしたものを織物にし、衣類、敷布、サポータ、靴下などに用いれば、微生物によるニオイ、床ずれ、シミ、虫食い上の孔などが発生せず、快適な社会生活を送ることができる。
【図面の簡単な説明】
【００２５】
【図１】カルシュウム亜鉛フェライトの磁化ｊ曲線である。
【図２】Ａ  フェライトの拡大正面図である。Ｂ  電磁界の拡大図である。
【図３】Ａ  フェライトを担持しない和紙の写真である。Ｂ  フェライトを担持した和紙の写真である。
【図４】Ａ  フェライトを担持しない和紙の５０倍顕微鏡写真である。Ｂ  フェライトを担持した和紙の１０００倍顕微鏡写真である。
【図５】Ａ  フェライトを担持しない和紙のカビ菌比較試験である。Ｂ  フェライトを担持した和紙のカビ菌比較試験である。
【図６】フェライトを担持した和紙を糸状にして織った布地である。
【図１】
2007303051.tif 000003
【図２】
2007303051.tif 000004
【図３】
2007303051.tif 000005
【図４】
2007303051.tif 000006
【図５】
2007303051.tif 000007
【図６】
2007303051.tif 000008